Podtech/llm-jp-corpus-v4-ja_patent huggingface dataset:
【手続補正書】
【提出日】平成17年5月31日(2005.5.31)
【手続補正１】
【補正対象書類名】明細書
【補正対象項目名】特許請求の範囲
【補正方法】変更
【補正の内容】
【特許請求の範囲】
【請求項１】
第１の波長帯域の光及び第２の波長帯域の光を選択的に照射する光源手段と、
前記光源手段により照射された被写体を撮像する撮像手段と、
前記第１の波長帯域の光または前記第２の波長帯域の光を選択するための選択手段と、
前記第１の波長帯域の光の選択時に前記撮像手段により撮像された像のカラーバランスを補正するための第１のカラーバランス補正係数を記憶する第１の補正係数記憶手段と、
前記第２の波長帯域の光の選択時に前記撮像手段により撮像された像のカラーバランスを補正するための第２のカラーバランス補正係数を記憶する第２の補正係数記憶手段と、
前記選択手段による選択に応じて前記第１の波長帯域の光の選択時には前記第１のカラーバランス補正係数を用い、前記第２の波長帯域の光の選択時には前記第２のカラーバランス補正係数を用いて前記撮像手段により撮像された像のカラーバランスを補正するカラーバランス補正手段と、
を有することを特徴とする内視鏡装置。
【請求項２】
カラーバランスを調整する基準となる基準色物体と、
前記撮像手段により撮像された前記基準色物体の像からカラーバランス補正係数を算出するカラーバランス補正係数算出手段と、
前記カラーバランス補正係数の算出を指示するためのカラーバランス設定指示手段と、
前記カラーバランス設定指示手段への使用者からの１回の指示に対して、前記第１の波長帯域の光を選択して前記基準色物体の像を撮像し前記第１のカラーバランス補正係数を算出させるとともに前記第２の波長帯域の光を選択して前記基準色物体の像を撮像し前記第２のカラーバランス補正係数を算出させる制御手段と、
を有することを特徴とする請求項１に記載の内視鏡装置。
【請求項３】
第１の波長帯域の光及び第２の波長帯域の光を選択的に照射する光源手段と、
前記光源手段により照射された被写体を撮像する撮像手段と、
前記第１の波長帯域の光または前記第２の波長帯域の光を選択するための選択手段と、
前記第１の波長帯域の光の選択下での内視鏡装置の動作を設定するための第１の設定手段と、
前記第１の設定手段で設定された内容を記憶する第１の設定値記憶手段と、
前記第２の波長帯域の光の選択下での内視鏡装置の動作を設定するための第２の設定手段と、
前記第２の設定手段で設定された内容を記憶する第２の設定値記憶手段と、
前記選択手段による選択に応じて前記第１の波長帯域の光の選択下では前記第１の設定値に基づいて内視鏡装置を動作させ、前記第２の波長帯域の光の選択下では前記第２の設定値に基づいて内視鏡装置を動作させる制御手段と、
を有することを特徴とする内視鏡装置。
【請求項４】
前記設定値は、前記撮像手段により撮像された像に対して行われる画像処理の設定値であることを特徴とする請求項３に記載の内視鏡装置。
【請求項５】
前記第１の設定手段と前記第２の設定手段は、前記選択手段による選択に応じて前記第１の波長帯域の光の選択下では前記第１の設定手段として動作し、前記第２の波長帯域の光の選択下では前記第２の設定手段として動作する共通の設定手段であることを特徴とする請求項３又は４に記載の内視鏡装置。
【手続補正２】
【補正対象書類名】明細書
【補正対象項目名】００１１
【補正方法】変更
【補正の内容】
【００１１】
【課題を解決するための手段】
請求項１に記載の発明は、第１の波長帯域の光及び第２の波長帯域の光を選択的に照射する光源手段と、前記光源手段により照射された被写体を撮像する撮像手段と、前記第１の波長帯域の光または前記第２の波長帯域の光を選択するための選択手段と、前記第１の波長帯域の光の選択時に前記撮像手段により撮像された像のカラーバランスを補正するための第１のカラーバランス補正係数を記憶する第１の補正係数記憶手段と、前記第２の波長帯域の光の選択時に前記撮像手段により撮像された像のカラーバランスを補正するための第２のカラーバランス補正係数を記憶する第２の補正係数記憶手段と、前記選択手段による選択に応じて前記第１の波長帯域の光の選択時には前記第１のカラーバランス補正係数を用い、前記第２の波長帯域の光の選択時には前記第２のカラーバランス補正係数を用いて前記撮像手段により撮像された像のカラーバランスを補正するカラーバランス補正手段と、を有することを特徴とする。
請求項３に記載の発明は、 第１の波長帯域の光及び第２の波長帯域の光を選択的に照射する光源手段と、前記光源手段により照射された被写体を撮像する撮像手段と、前記第１の波長帯域の光または前記第２の波長帯域の光を選択するための選択手段と、前記第１の波長帯域の光の選択下での内視鏡装置の動作を設定するための第１の設定手段と、前記第１の設定手段で設定された内容を記憶する第１の設定値記憶手段と、前記第２の波長帯域の光の選択下での内視鏡装置の動作を設定するための第２の設定手段と、前記第２の設定手段で設定された内容を記憶する第２の設定値記憶手段と、前記選択手段による選択に応じて前記第１の波長帯域の光の選択下では前記第１の設定値に基づいて内視鏡装置を動作させ、前記第２の波長帯域の光の選択下では前記第２の設定値に基づいて内視鏡装置を動作させる制御手段と、を有することを特徴とする。
【手続補正書】
【提出日】平成17年8月26日(2005.8.26)
【手続補正１】
【補正対象書類名】明細書
【補正対象項目名】発明の名称
【補正方法】変更
【補正の内容】
【発明の名称】磁気共鳴イメージング装置
【手続補正２】
【補正対象書類名】明細書
【補正対象項目名】特許請求の範囲
【補正方法】変更
【補正の内容】
【特許請求の範囲】
【請求項１】
静磁場を発生する静磁場発生手段と、前記静磁場に重畳される傾斜磁場を発生する傾斜磁場発生手段と、前記静磁場中に置かれた被検体を構成する原子核スピンに核磁気共鳴を生じさせる高周波磁場パルスを印加する送信手段と、前記被検体から生じる核磁気共鳴信号をエコー信号として検出する受信手段と、前記検出された信号に基づき前記被検体の断層像を再構成する信号処理手段と、前記傾斜磁場発生手段、送信手段、受信手段および信号処理手段を所定のパルスシーケンスに従って制御する制御手段とを備えた磁気共鳴イメージング装置において、
前記制御手段は、被検体を構成する原子核スピンを励起する少なくとも一つの高周波パルスを印加し、ついで複数の傾斜磁場パルスを印加し、ｍ個（ｍはｍ≧１を満たす整数）の核磁気共鳴信号をエコーとして検出するステップを繰り返し、画像再構成に必要な全エコーを取得する際に、時間的に連続するｎ個（ｎはｎ≧２を満たす整数）のステップを１セットとし、各セット内で少なくとも１つ方向の体動モニター用のナビゲーションエコーを１つ取得する制御を行い、
前記信号処理手段は、前記セット内で取得された複数（ｎ×ｍ）のエコーをそのセット内で取得されたナビゲーションエコーで補正することにより、前記被検体の体動を補正した画像を再構成することを特徴とする磁気共鳴イメージング装置。
【請求項２】
前記制御手段は、前記セット内の複数のステップにおいてそれぞれ異なる方向のナビゲーションエコーを取得する制御を行い、
前記信号処理手段は、前記セット内で取得されたエコーをそのセット内で取得されたナビゲーションエコーで補正することにより、前記被検体の体動を複数の方向について補正した画像を再構成することを特徴とする請求項１記載の磁気共鳴イメージング装置。
【請求項３】
前記制御手段は、前記各ステップにおいて、同一の領域を選択して励起し、その領域から発生するエコーを取得することを特徴とする請求項１または２記載の磁気共鳴イメージング装置。
【請求項４】
前記制御手段は、１つのステップの繰り返し時間内に、励起するスライス位置を変化させて複数のステップを順次実行する制御を行い、前記信号処理手段は、複数のスライスの画像を再構成することを特徴とする請求項１または２記載の磁気共鳴イメージング装置。
【請求項５】
静磁場を発生する静磁場発生手段と、前記静磁場に重畳される傾斜磁場を発生する傾斜磁場発生手段と、前記静磁場中に置かれた被検体を構成する原子核スピンに核磁気共鳴を生じさせる高周波磁場パルスを印加する送信手段と、前記被検体から生じる核磁気共鳴信号をエコー信号として検出する受信手段と、前記検出された信号に基づき前記被検体の断層像を再構成する信号処理手段と、前記傾斜磁場発生手段、送信手段、受信手段および信号処理手段を所定のパルスシーケンスに従って制御する制御手段とを備え、
被検体を構成する原子核スピンを励起する少なくとも一つの高周波パルスを印加し、核磁気共鳴信号をエコーとして検出するステップを複数回繰り返し、画像再構成に必要な全エコーを取得する際に、体動モニター用のナビゲーションエコーを取得し、前記ステップの複数回の繰り返しで取得された複数のエコーを前記ナビゲーションエコーで補正することにより、前記被検体の体動を補正した画像を再構成する磁気共鳴イメージング装置において、
前記制御手段は、前記ナビゲーションエコーの取得回数を、前記ステップの繰り返し回数よりも少ない数とすることを特徴とする磁気共鳴イメージング装置。
【手続補正３】
【補正対象書類名】明細書
【補正対象項目名】００１２
【補正方法】変更
【補正の内容】
【００１２】
【課題を解決するための手段】
上記目的を達成する本発明のＭＲＩ装置は、被検体を構成する原子核スピンを励起する少なくとも一つの高周波パルスを印加し、核磁気共鳴信号をエコーとして検出するステップを複数回繰り返し、画像再構成に必要な全エコーを取得する際に、体動モニター用のナビゲーションエコーを取得し、前記ステップの複数回の繰り返しで取得された複数のエコーを前記ナビゲーションエコーで補正することにより、前記被検体の体動を補正した画像を再構成するＭＲＩ装置において、前記ナビゲーションエコーの取得回数を、前記ステップの繰り返し回数よりも少ない数とすることを特徴とする。
具体的には、本発明のＭＲＩ装置が採用する方法は、被検体を構成する原子核スピンを励起する少なくとも一つの高周波パルスを印加し、ついで複数の傾斜磁場パルスを印加し、ｍ個（ｍはｍ≧１を満たす整数、以下同じ。）の核磁気共鳴信号をエコーとして検出するステップを繰り返し、画像再構成に必要な全エコーを取得する際に、時間的に連続するｎ個（ｎはｎ≧２を満たす整数、以下同じ。）のステップを１セットとし、各セット内で少なくとも１つ方向の体動モニター用のナビゲーションエコーを１つ取得し、該セット内で取得された複数（ｎ×ｍ）のエコーをそのセット内で取得されたナビゲーションエコーで補正することにより、前記被検体の体動を補正した画像を再構成する。
【手続補正書】
【提出日】平成17年3月2日(2005.3.2)
【手続補正１】
【補正対象書類名】明細書
【補正対象項目名】００２５
【補正方法】変更
【補正の内容】
【００２５】
さらに、本体２００の各部には、ユーザー操作のための各種の操作子（３００、３０１、及び３０４〜３１１）が設けられる。
メインダイヤル３００は、ビデオカメラのオン／オフ、記録動作、再生動作を設定する操作子である。メインダイヤルが図示するように「ＯＦＦ」の位置にあるときは電源オフとされており、「ＳＴＢＹ」の位置に回動されることで、電源オンとなって記録動作のスタンバイ状態となる。また、「ＰＢ」の位置に回動されることで、電源オンとなって再生動作のスタンバイ状態となる。
【手続補正書】
【提出日】平成17年3月8日(2005.3.8)
【手続補正１】
【補正対象書類名】明細書
【補正対象項目名】発明の名称
【補正方法】変更
【補正の内容】
【発明の名称】静止画像記録装置及び方法並びに撮像装置
【手続補正２】
【補正対象書類名】明細書
【補正対象項目名】特許請求の範囲
【補正方法】変更
【補正の内容】
【特許請求の範囲】
【請求項１】
動画像を生成する動画像生成手段と、
上記動画像生成手段で生成された動画像を静止画像として取り込む静止画像取込手段と、
上記静止画像取込手段で取り込まれた静止画像をフィールド画像からフレーム画像に変換する変換手段と、
静止画像を記憶する記憶手段と、
静止画像を上記記憶手段に記録する記録手段と、
上記記憶手段に記録することを示す記録コマンドを生成するコマンド生成手段とを備え、
上記記録コマンド生成手段からの記録コマンドに応じて上記静止画像取込手段で動画像から静止画像を取り込むとともに上記動画像生成手段からの動画像の生成を停止させ、取り込んだ静止画像を上記変換手段でフレーム画像として上記記憶手段に上記記録手段で記録させ、再び動画像生成手段で動画像を生成させること
を特徴とする静止画像記録装置。
【請求項２】
記録コマンドに応じて動画像から静止画像を取り込むとともに動画像を停止し、
取り込んだ静止画像をフィールド画像からフレーム画像に変換し、
静止画像を記録媒体に記録し、
動画像の停止を解除すること
を特徴とする静止画像記録方法。
【請求項３】
撮像手段と、
上記撮像手段から得た撮像信号から動画像または静止画像を生成する映像信号生成手段と、
上記映像信号生成手段により生成された動画像または静止画像を第一または第二の記録媒体に記録するとともに、上記第一または第二の記録媒体に記録された動画像または静止画像を再生する記録再生手段と、
記録コマンドを生成するコマンド生成手段とを備え、
上記記録再生手段は、上記コマンド生成手段によるコマンドに応じて、上記第一の記録媒体から再生した動画像から静止画像を取り込み、当該静止画像を上記第二の記録媒体に記録すること
を特徴とする撮像装置。
【手続補正３】
【補正対象書類名】明細書
【補正対象項目名】０００１
【補正方法】変更
【補正の内容】
【０００１】
【発明の属する技術分野】
本発明は、例えば撮像した動画像を静止画像として取り込んで記録媒体に記録する静止画像記録装置及び方法並びに撮像装置に関する。
【手続補正４】
【補正対象書類名】明細書
【補正対象項目名】０００７
【補正方法】変更
【補正の内容】
【０００７】
そこで、本発明は、上述した従来の問題点に鑑みて提案されたものであり、動画像から静止画像として取り込んで記録するとき、記録コマンドを受け付けた直後の動画像から静止画像として取り込んで記録するとともに記録中の静止画像を確認することができる静止画像記録装置及び方法並びに撮像装置を提供することを目的とする。
【手続補正５】
【補正対象書類名】明細書
【補正対象項目名】０００８
【補正方法】変更
【補正の内容】
【０００８】
更に、本発明は、動画像から静止画像を取り込んで記録するとき、高画質の静止画像を記録することができる静止画像記録装置及び方法並びに撮像装置を提供することを目的とする。
【手続補正６】
【補正対象書類名】明細書
【補正対象項目名】００１１
【補正方法】変更
【補正の内容】
【００１１】
また、本発明に係る静止画像記録方法は、記録コマンドに応じて動画像から静止画像を取り込むとともに動画像を停止し、取り込んだ静止画像をフィールド画像からフレーム画像に変換し、静止画像を記録媒体に記録し、動画像の停止を解除することを特徴とする。
【手続補正７】
【補正対象書類名】明細書
【補正対象項目名】００１２
【補正方法】変更
【補正の内容】
【００１２】
このような静止画像記録方法は、記録コマンドに応じて動画像を停止させて静止画像を記録媒体に記録する処理を行い、静止画像の記録媒体への記録を終了したら、動画像の停止を解除する。
さらに、本発明に係る撮像装置は、撮像手段と、上記撮像手段から得た撮像信号から動画像または静止画像を生成する映像信号生成手段と、上記映像信号生成手段により生成された動画像または静止画像を第一または第二の記録媒体に記録するとともに、上記第一または第二の記録媒体に記録された動画像または静止画像を再生する記録再生手段と、記録コマンドを生成するコマンド生成手段とを備え、上記記録再生手段は、上記コマンド生成手段によるコマンドに応じて、上記第一の記録媒体から再生した動画像から静止画像を取り込み、当該静止画像を上記第二の記録媒体に記録することを特徴とする。
【手続補正書】
【提出日】平成17年3月8日(2005.3.8)
【手続補正１】
【補正対象書類名】明細書
【補正対象項目名】発明の名称
【補正方法】変更
【補正の内容】
【発明の名称】カラー撮像装置及びホワイトバランス調整方法
【手続補正２】
【補正対象書類名】明細書
【補正対象項目名】特許請求の範囲
【補正方法】変更
【補正の内容】
【特許請求の範囲】
【請求項１】
光電変換手段及び色フィルタを備え、インターレース走査及びプログレッシブ走査の切換え可能なＣＣＤ撮像素子と、該ＣＣＤ撮像素子よりのカラー映像信号が供給されるホワイトバランス調整回路及び垂直周期のｎ（但し、ｎ＝１、２、３、‥‥‥）倍の期間毎にホワイトバランス状態の検出を行うホワイトバランス状態検出回路とを有し、該ホワイトバランス状態検出回路よりの検出出力に基づいて、上記ホワイトバランス調整回路を制御するようにしたカラー撮像装置において、
上記ホワイトバランス状態検出回路は、画素信号毎に輝度の高さに応じて積分を行うか否かを決定する輝度別積分手段を有し、
上記ホワイトバランス状態検出回路によるホワイトバランス状態の検出を、インターレース走査時は垂直周期のｎ（但し、ｎ＝１、２、３、‥‥‥）倍の期間毎に行うと共に、プログレッシブ走査時は垂直周期の２ｎ倍の期間毎に行うようにしたことを特徴とするカラー撮像装置。
【請求項２】
請求項１に記載のカラー撮像装置において、
上記ホワイトバランス状態の検出毎に、輝度別積分手段の積分を行うか否かの基準を変更することを特徴とするカラー撮像装置。
【請求項３】
光電変換処理及び色フィルタリング処理を備え、インターレース走査及びプログレッシブ走査の切換え可能なＣＣＤ撮像ステップと、該ＣＣＤ撮像ステップよりのカラー映像信号に対する処理を行うホワイトバランス調整ステップ及び垂直周期のｎ（但し、ｎ＝１、２、３、‥‥‥）倍の期間毎にホワイトバランス状態の検出を行うホワイトバランス状態検出ステップとを有し、該ホワイトバランス状態検出ステップよりの検出出力に基づいて、上記ホワイトバランス調整ステップにおけるホワイトバランス調整を制御するようにしたホワイトバランス調整方法において、
上記ホワイトバランス状態検出ステップは、画素信号毎に輝度の高さに応じて積分を行うか否かを決定する輝度別積分ステップを有し、
上記ホワイトバランス状態検出ステップによるホワイトバランス状態の検出を、インターレース走査時は垂直周期のｎ（但し、ｎ＝１、２、３、‥‥‥）倍の期間毎に行うと共に、プログレッシブ走査時は垂直周期の２ｎ倍の期間毎に行うようにしたことを特徴とするホワイトバランス調整方法。
【請求項４】
請求項３に記載のホワイトバランス調整方法において、
上記ホワイトバランス状態の検出毎に、輝度別積分ステップの積分を行うか否かの基準を変更することを特徴とするホワイトバランス調整方法。
【手続補正３】
【補正対象書類名】明細書
【補正対象項目名】０００５
【補正方法】変更
【補正の内容】
【０００５】
【課題を解決するための手段】
第１の本発明によるカラー撮像装置は、光電変換手段及び色フィルタを備え、インターレース走査及びプログレッシブ走査の切換え可能なＣＣＤ撮像素子と、そのＣＣＤ撮像素子よりのカラー映像信号が供給されるホワイトバランス調整回路及び垂直周期のｎ（但し、ｎ＝１、２、３、‥‥‥）倍の期間毎にホワイトバランス状態の検出を行うホワイトバランス状態検出回路とを有し、そのホワイトバランス状態検出回路よりの検出出力に基づいて、ホワイトバランス調整回路を制御するようにしたカラー撮像装置において、ホワイトバランス状態検出回路は、画素信号毎に輝度の高さに応じて積分を行うか否かを決定する輝度別積分手段を有し、ホワイトバランス状態検出回路によるホワイトバランス状態の検出を、インターレース走査時は垂直周期のｎ（但し、ｎ＝１、２、３、‥‥‥）倍の期間毎に行うと共に、プログレッシブ走査時は垂直周期の２ｎ倍の期間毎に行うようにしたものである。
【手続補正４】
【補正対象書類名】明細書
【補正対象項目名】０００６
【補正方法】変更
【補正の内容】
【０００６】
また、第１の本発明によれば、画素信号毎に輝度の高さに応じて積分を行うか否かを決定する輝度別積分手段を有するホワイトバランス状態検出回路によるホワイトバランス状態の検出を、インターレース走査時は垂直周期のｎ（但し、ｎ＝１、２、３、‥‥‥）倍の期間毎に行うと共に、プログレッシブ走査時は垂直周期の２ｎ倍の期間毎に行う。
また、第３の本発明によるホワイトバランス調整方法は、光電変換処理及び色フィルタリング処理を備え、インターレース走査及びプログレッシブ走査の切換え可能なＣＣＤ撮像ステップと、そのＣＣＤ撮像ステップよりのカラー映像信号に対する処理を行うホワイトバランス調整ステップ及び垂直周期のｎ（但し、ｎ＝１、２、３、‥‥‥）倍の期間毎にホワイトバランス状態の検出を行うホワイトバランス状態検出ステップとを有し、ホワイトバランス状態検出ステップよりの検出出力に基づいて、ホワイトバランス調整ステップにおけるホワイトバランス調整を制御するようにしたホワイトバランス調整方法において、ホワイトバランス状態検出ステップは、画素信号毎に輝度の高さに応じて積分を行うか否かを決定する輝度別積分ステップを有し、ホワイトバランス状態検出ステップによるホワイトバランス状態の検出を、インターレース走査時は垂直周期のｎ（但し、ｎ＝１、２、３、‥‥‥）倍の期間毎に行うと共に、プログレッシブ走査時は垂直周期の２ｎ倍の期間毎に行うようにしたものである。
また、第３の本発明によれば、画素信号毎に輝度の高さに応じて積分を行うか否かを決定する輝度別積分ステップを有するホワイトバランス状態検出ステップによるホワイトバランス状態の検出を、インターレース走査時は垂直周期のｎ（但し、ｎ＝１、２、３、‥‥‥）倍の期間毎に行うと共に、プログレッシブ走査時は垂直周期の２ｎ倍の期間毎に行う。
【手続補正書】
【提出日】平成17年7月26日(2005.7.26)
【手続補正１】
【補正対象書類名】明細書
【補正対象項目名】００１９
【補正方法】変更
【補正の内容】
【００１９】
このような図１、図２の温度上昇曲線から明らかなように、低電圧を加えて温度上昇勾配を小さくした場合には最終温度のばらつきは少ないが、高電圧を加えて温度上昇勾配を大きくした場合には最終温度のばらつきが著しく大きくなる。
さらに図３には、この発明の方法により中間で通電加熱を休止させる方式を適用して最終的に図２の場合と同様な高温度（例えば８０℃）まで加熱した場合の温度上昇曲線を示す。ここで図３の左端（時刻ｔ0＝０秒の位置）を搬送・通電加熱ラインの入口、右端（時刻ｔ3＝３０秒）の位置を搬送・通電加熱ラインの出口とすれば、図３の温度上昇曲線の横軸は、搬送・通電加熱ラインの長さ方向の位置にも対応する。そしてこの発明の場合、その搬送・通電加熱ラインの入口側、出口側にそれぞれ通電加熱ゾーン１，２を設け、その入口側、出口側の通電加熱ゾーン１，２の中間に通電休止ゾーン３を設けている。ここで入口側の通電加熱ゾーン１においては、図２の場合と同程度の高電圧（５０Ｖ）を、また出口側の通電加熱ゾーン２においては図１の場合と同程度の低電圧（２５Ｖ）を加えた。さらに、入口側の通電加熱ゾーン１で通電加熱してから一旦通電加熱を休止させるタイミングｔ1は、揚げ物素材が膨張を開始する直前のタイミングを目安とし、ｔ1＝１２秒のタイミングに設定した。また通電休止ゾーン３における通電休止時間（ｔ1〜ｔ2）は９秒とした。
【手続補正書】
【提出日】平成17年7月20日(2005.7.20)
【手続補正１】
【補正対象書類名】明細書
【補正対象項目名】特許請求の範囲
【補正方法】変更
【補正の内容】
【特許請求の範囲】
【請求項１】
光触媒が表面に保持された材料と、
前記光触媒に光を照射する光照射装置とを有し、
被処理液体を光触媒が表面に保持された材料に接触させた状態で、前記光触媒に光を照射するように構成されていることを特徴とするウイルス不活化システム。
【請求項２】
前記被処理液体は、血液もしくは血液製剤である請求項１に記載のウイルス不活化システム。
【請求項３】
前記光触媒が表面に保持された材料と、前記被処理液体の入口および出口とを備える血液処理装置と、
採血針と、一端が前記血液処理装置の入口に接続され、他端が前記採血針に接続された送血管とを備える採血手段と、
返血針と、一端が前記返血針に接続され、他端が前記血液処理装置の出口に接続された返血管とを備える返血手段とを有する請求項１または２に記載のウイルス不活化システム。
【請求項４】
前記光触媒が表面に保持された材料と、前記被処理液体の入口および出口とを備える血液処理装置と、
第１の貯留容器と、一端が前記血液処理装置の入口に接続され、他端が前記第１の貯留容器に接続された送血管と、
第２の貯留容器と、一端が前記第２の貯留容器に接続され、他端が前記血液処理装置の出口に接続された返血管とを有する請求項１または２に記載のウイルス不活化システム。
【請求項５】
前記被処理液体は、全血であり、前記全血を血漿成分と血球成分とに分離した後に、前記血漿成分と血球成分を別々に、もしくはいずれか１つを光触媒が表面に保持された材料に接触させた状態で、前記光触媒に光を照射するように構成されている請求項１に記載のウイルス不活化システム。
【請求項６】
前記光触媒は、ＴｉＯ２，ＺｎＯ，ＳｒＴｉＯ３，Ｆｅ２Ｏ３，ＣｄＳ，ＣｄＳｅ，ＷＯ３，ＦｅＴｉＯ３，ＧａＰ，ＧａＡｓ，ＲｕＯ２，ＭｏＳ３，ＬａＲｈＯ３，ＣｄＦｅＯ３，ＢｉＯ３，ＭｏＳ２，Ｉｎ２Ｏ３，ＣｄＯ，ＳｎＯ２のうちのいずれか１つ以上である請求項１ないし５のいずれかに記載のウイルス不活化システム。
【手続補正２】
【補正対象書類名】明細書
【補正対象項目名】００１２
【補正方法】変更
【補正の内容】
【００１２】
【課題を解決するための手段】
（１）光触媒が表面に保持された材料と、前記光触媒に光を照射する光照射装置とを有し、被処理液体を光触媒が表面に保持された材料に接触させた状態で、前記光触媒に光を照射するように構成されていることを特徴とするウイルス不活化システム。
（２）前記被処理液体は、血液もしくは血液製剤である上記（１）に記載のウイルス不活化システム。
（３）前記光触媒が表面に保持された材料と、前記被処理液体の入口および出口とを備える血液処理装置と、採血針と、一端が前記血液処理装置の入口に接続され、他端が前記採血針に接続された送血管とを備える採血手段と、返血針と、一端が前記返血針に接続され、他端が前記血液処理装置の出口に接続された返血管とを備える返血手段とを有する上記（１）または（２）に記載のウイルス不活化システム。
（４）前記光触媒が表面に保持された材料と、前記被処理液体の入口および出口とを備える血液処理装置と、第１の貯留容器と、一端が前記血液処理装置の入口に接続され、他端が前記第１の貯留容器に接続された送血管と、第２の貯留容器と、一端が前記第２の貯留容器に接続され、他端が前記血液処理装置の出口に接続された返血管とを有する上記（１）または（２）に記載のウイルス不活化システム。
（５）前記被処理液体は、全血であり、前記全血を血漿成分と血球成分とに分離した後に、前記血漿成分と血球成分を別々に、もしくはいずれか１つを光触媒が表面に保持された材料に接触させた状態で、前記光触媒に光を照射するように構成されている上記（１）に記載のウイルス不活化システム。
【手続補正３】
【補正対象書類名】明細書
【補正対象項目名】００１３
【補正方法】変更
【補正の内容】
【００１３】
（６）前記光触媒は、ＴｉＯ２，ＺｎＯ，ＳｒＴｉＯ３，Ｆｅ２Ｏ３，ＣｄＳ，ＣｄＳｅ，ＷＯ３，ＦｅＴｉＯ３，ＧａＰ，ＧａＡｓ，ＲｕＯ２，ＭｏＳ３，ＬａＲｈＯ３，ＣｄＦｅＯ３，ＢｉＯ３，ＭｏＳ２，Ｉｎ２Ｏ３，ＣｄＯ，ＳｎＯ２のうちのいずれか１つ以上である上記（１）ないし（５）のいずれかに記載のウイルス不活化システム。
【手続補正書】
【提出日】平成17年3月8日(2005.3.8)
【手続補正１】
【補正対象書類名】明細書
【補正対象項目名】００１５
【補正方法】変更
【補正の内容】
【００１５】
そして、上記タイミング信号発生器２８は、上記カメラ制御用マイクロコンピュータ２５から与えられる制御信号によって全画素読み出しモードが設定されると、図４に示すように、２フィールド（２Ｖ）すなわち１フレーム周期（１Ｆ）のセンサゲート信号ＳＧと、１水平走査周期（１Ｈ）の垂直転送クロックＣＫＶと、水平ラインにおける画素数に対応する周波数の水平転送クロックＣＫＨを生成して、上記ＣＣＤイメージセンサ２３を全画素読み出しモードで駆動する。
【手続補正２】
【補正対象書類名】明細書
【補正対象項目名】００１６
【補正方法】変更
【補正の内容】
【００１６】
すなわち、全画素読み出しモードでは、上記ＣＣＤイメージセンサ２３の各フォトセンサＳにより得られる各画素の撮像電荷をセンサゲート信号ＳＧによって垂直転送レジスタＶＲに２フィールドすなわち１フレーム期間（１Ｆ）毎に読み出し、上記垂直転送レジスタＶＲに読み出した全画素の撮像電荷を１水平走査期間（１Ｈ）毎に１水平ラインずつ水平転送レジスタＨＲに転送して、各画素の撮像電荷を上記水平転送レジスタＨＲから水平ライン毎に出力部ＳＯを介して撮像信号として出力することにより、全画素の撮像電荷によるプログレススキャン信号として撮像信号を得ることができる。
【手続補正３】
【補正対象書類名】明細書
【補正対象項目名】００１７
【補正方法】変更
【補正の内容】
【００１７】
また、上記タイミング信号発生器２８は、上記カメラ制御用マイクロコンピュータ２５から与えられる制御信号によってインターレース読み出しモードが設定されると、図５に示すように、１フィールド周期（１Ｖ）のセンサゲート信号ＳＧと、１水平走査期間（１Ｈ）毎に２発連続した垂直転送クロックＣＫＶと、水平ラインにおける画素数に対応する周波数の水平転送クロックＣＫＨを生成して、上記ＣＣＤイメージセンサ２３をインターレース読み出しモードで駆動する。
【手続補正４】
【補正対象書類名】明細書
【補正対象項目名】００１８
【補正方法】変更
【補正の内容】
【００１８】
すなわち、インターレース読み出しモードでは、上記ＣＣＤイメージセンサ２３の各フォトセンサＳにより得られる各画素の撮像電荷をセンサゲート信号ＳＧによって垂直転送レジスタＶＲに１フィールド期間（１Ｖ）毎に読み出し、上記垂直転送レジスタＶＲに読み出した全画素の撮像電荷を１水平走査期間（１Ｈ）毎に２水平ラインずつ水平転送レジスタＨＲに転送して、垂直ライン上で隣接する２画素分の電荷を上記水平転送レジスタＨＲにおいて加算合成することにより、水平ライン数を１／２に減少させた各画素の撮像電荷を上記水平転送レジスタＨＲから水平ライン毎に出力部ＳＯを介して撮像信号として出力することにより、全画素の撮像電荷からインターレース信号として撮像信号を得ることができる。なお、上記水平転送レジスタＨＲにおいて加算合成する垂直ライン上で隣接する２画素分の電荷の組合せは、奇数フィールドと偶数フィールドで異ならしめるようにする。
【手続補正５】
【補正対象書類名】図面
【補正対象項目名】図５
【補正方法】変更
【補正の内容】
【図５】
2000041191.tif 000001
【手続補正書】
【提出日】平成17年3月10日(2005.3.10)
【手続補正１】
【補正対象書類名】明細書
【補正対象項目名】０００７
【補正方法】変更
【補正の内容】
【０００７】
そこで、本発明は、上述した従来の実情に鑑みて提案されたものであり、静止画像の記録時においては何枚静止画像を記録媒体に記録したかを表示するとともに記録可能な静止画像の枚数を表示し、静止画像の再生時には記録媒体に静止画像を何枚記録しているかを表示することができる静止画像枚数表示装置及び方法を提供することを目的とする。
【手続補正２】
【補正対象書類名】明細書
【補正対象項目名】００１３
【補正方法】変更
【補正の内容】
【００１３】
本発明は、例えば図１に示すような構成のカムコーダ１に適用される。このカムコーダ１は、被写体を撮像して映像信号を生成するカメラ処理部２と、カメラ処理部２からの映像信号を動作モードに応じて出力するインタフェイス用ゲートアレイ（以下、Ｉ／Ｆ用ゲートアレイと称する。）３と、Ｉ／Ｆ用ゲートアレイ３からの映像信号を格納する第１のメモリ４と、映像信号に圧縮伸長処理を施す圧縮伸長処理部５と、圧縮伸長処理部５で圧縮伸長処理が施された映像信号を格納する第２のメモリ６と、静止画像を示す映像信号を記録する着脱可能なカードメモリ７と、カードメモリ７に記録された静止画像を示す映像信号の入出力を管理するメモリコントローラ８と、これらの各部を制御する静止画マイコン９と、静止画マイコンに操作命令を供給する操作信号を生成するＨ／Ｉコントローラ１０と、Ｈ／Ｉ（human interface）コントローラ１０に操作入力信号を供給する操作入力部１１と、Ｈ／Ｉコントローラ１０によりその内容が書き換えられる制御メモリ１２とを備える。
【手続補正３】
【補正対象書類名】明細書
【補正対象項目名】００６１
【補正方法】変更
【補正の内容】
【００６１】
【発明の効果】
以上詳細に説明したように、本発明に係る静止画像枚数表示装置は、画像データを記憶手段に記録するときに当該画像データに固定長圧縮処理を施し、画像記録時には記録枚数と記録可能枚数とを分数表示するとともに、画像再生時には現在の再生枚数と記録枚数とを分数表示するので、静止画像を示す画像データの記録時においては何枚静止画像を記録媒体に記録したかを表示するとともに記録可能な静止画像の枚数を分数表示し、静止画像を示す画像データの再生時には記録媒体に静止画像を何枚記録しているかを分数表示することができる。
【手続補正書】
【提出日】平成17年3月8日(2005.3.8)
【手続補正１】
【補正対象書類名】明細書
【補正対象項目名】特許請求の範囲
【補正方法】変更
【補正の内容】
【特許請求の範囲】
【請求項１】
第１の段階と第２の段階との２段階で押圧されるシャッタボタンの押圧状態を検出する検出手段と、
静止画像を撮像する撮像手段と、
上記撮像手段で撮像した複数の静止画像を記憶する記憶手段と、
上記記憶手段で記憶した複数の静止画像を合成する合成手段と、
上記合成手段で合成された静止画像を表示する表示手段と、
第１の段階までシャッタボタンが押圧されたことを示す上記検出手段からの検出信号に応じて所定の期間内に複数の静止画像を撮像する連写撮影を行うように上記撮像手段を制御するとともに上記撮像手段で撮像した複数の静止画像を上記表示手段で表示するように制御し、第２の段階までシャッタボタンが押圧されたことを示す上記検出手段からの検出信号に応じて上記第１の段階で連写撮影された静止画像を記録媒体に記憶する処理を行うように制御する制御手段と
を備えることを特徴とする画像撮像装置。
【請求項２】
上記撮像手段が静止画像を撮像することに応じて音響を生成する音響手段を備え、
上記制御手段は、第１の段階までシャッタボタンが押圧されたことを示す検出信号に応じて所定の期間内に複数の静止画像を撮像するとともに上記音響を生成するように上記音響手段を制御すること
を特徴とする請求項１記載の画像撮像装置。
【請求項３】
第１の段階までシャッタボタンが押圧されたとき所定の期間内に複数の静止画像を撮像する連写撮影を行う処理と、
上記撮像した複数の静止画像を合成して表示モニタで表示する処理と、
第２の段階まで上記シャッタボタンが押圧されたときに第１の段階で連写撮影された各静止画像を記録媒体に記憶する処理と
を有することを特徴とする画像撮像方法。
【請求項４】
第１の段階まで上記シャッタボタンが押圧されたときに所定の期間内に複数の静止画像を撮像するとともに音響を生成する処理を更に有すること
を特徴とする請求項３記載の画像撮像方法。
【請求項５】
第１の段階と第２の段階との２段階で押圧されるシャッタボタンの押圧状態を検出する検出手段と、
静止画像を撮像する撮像手段と、
上記撮像手段で撮像した複数の静止画像を記憶する記憶手段と、
上記記憶手段で記憶した複数の静止画像を表示する表示手段と、
第１の段階までシャッタボタンが押圧されたことを示す上記検出手段からの検出信号に応じて所定の期間内に複数の静止画像を撮像する連写撮影を行うように上記撮像手段を制御するとともに上記撮像手段で撮像した複数の静止画像を上記表示手段で表示するように制御し、第２の段階までシャッタボタンが押圧されたことを示す上記検出手段からの検出信号に応じて上記第１の段階で連写撮影された静止画像を記録媒体に記憶する処理を行うように制御する制御手段と
を備えることを特徴とする画像撮像装置。
【手続補正２】
【補正対象書類名】明細書
【補正対象項目名】０００６
【補正方法】変更
【補正の内容】
【０００６】
【課題を解決するための手段】
上述の課題を解決する本発明に係る画像撮像装置は、第１の段階と第２の段階との２段階で押圧されるシャッタボタンの押圧状態を検出する検出手段と、静止画像を撮像する撮像手段と、上記撮像手段で撮像した複数の静止画像を記憶する記憶手段と、上記記憶手段で記憶した複数の静止画像を合成する合成手段と、上記合成手段で合成された静止画像を表示する表示手段と、第１の段階までシャッタボタンが押圧されたことを示す上記検出手段からの検出信号に応じて所定の期間内に複数の静止画像を撮像する連写撮影を行うように上記撮像手段を制御するとともに上記撮像手段で撮像した複数の静止画像を上記表示手段で表示するように制御し、第２の段階までシャッタボタンが押圧されたことを示す上記検出手段からの検出信号に応じて上記第１の段階で連写撮影された静止画像を記録媒体に記憶する処理を行うように制御する制御手段とを備えることを特徴とするものである。
【手続補正３】
【補正対象書類名】明細書
【補正対象項目名】０００９
【補正方法】変更
【補正の内容】
【０００９】
このような画像撮像方法は、第１の段階までシャッタが押圧された時点で複数の静止画像を撮像して表示モニタに表示し、第２の段階まで押圧された時点で表示モニタに表示した複数の静止画像を記録媒体に記録する。
さらに、本発明に係る画像撮像装置は、第１の段階と第２の段階との２段階で押圧されるシャッタボタンの押圧状態を検出する検出手段と、静止画像を撮像する撮像手段と、上記撮像手段で撮像した複数の静止画像を記憶する記憶手段と、上記記憶手段で記憶した複数の静止画像を表示する表示手段と、第１の段階までシャッタボタンが押圧されたことを示す上記検出手段からの検出信号に応じて所定の期間内に複数の静止画像を撮像する連写撮影を行うように上記撮像手段を制御するとともに上記撮像手段で撮像した複数の静止画像を上記表示手段で表示するように制御し、第２の段階までシャッタボタンが押圧されたことを示す上記検出手段からの検出信号に応じて上記第１の段階で連写撮影された静止画像を記録媒体に記憶する処理を行うように制御する制御手段とを備えることを特徴とする。
【手続補正書】
【提出日】平成17年6月24日(2005.6.24)
【手続補正１】
【補正対象書類名】明細書
【補正対象項目名】００１２
【補正方法】変更
【補正の内容】
【００１２】
図２（Ｂ）に示すように、キャップ３の筒体３７の下部には、内側に突き出た肉厚部３７ｅが形成されている。肉厚部３７ｅは、内部の断面形状が、上記本体筒７の断面形状に相当する正八角形に形成されている。したがって、筒体３７と本体筒７は同期に回動する。さらに、筒体３７の肉厚部３７ｅの内面の各面は、常に本体筒７の外面の特定の面に沿ってのみスライドするため、筒体３７は本体筒７の外面を軸上にまっすぐスライドする。なお、キャップを容器本体と同期回動しないようにすることも可能であるが（容器本体の上昇限、下降限を大径円筒部、スライド部を小径円筒部にすると、キャップの筒体はスライド可能、摺動自在となる）、そうすると棒状化粧材を繰り出すとき、カートリッジと容器本体後部大径部のみを持ってでないと化粧材の繰り出し、引き込みができず、使い勝手が悪くなる。なお、肉厚部３７ｅ以外の内部断面は、この正八角形の外接円に等しい径の円形である。
【手続補正２】
【補正対象書類名】明細書
【補正対象項目名】００１７
【補正方法】変更
【補正の内容】
【００１７】
この状態でカートリッジ２を本体筒７の開口部７ｆから挿入させ、装着する。最後に筒体３７を本体筒７の外面に沿って上方向にスライドさせる。筒体３７の肉厚部３７ｅの上面がフランジ７ａの下面の段部７ｃに当接するとスライドは妨げられ、蓋体３１は閉状態となる。
【手続補正３】
【補正対象書類名】明細書
【補正対象項目名】００２１
【補正方法】変更
【補正の内容】
【００２１】
筒体３７は全体として円筒形であり、本体筒７の外側に嵌合され、本体筒７の外側に沿って軸方向にスライド可能に保持されている。筒体３７を後退方向（図３の下方）にスライドすると、蓋体３１はカートリッジ２の先端に押され、バネ３３の力に抗して開き、カートリッジ２の先端口が外に露出する。さらに下方向へのスライドに伴い、蓋体３１はバネ３３に付勢されたまま、本体筒７の外形に沿って下方向へ動く（図２）。
【手続補正４】
【補正対象書類名】明細書
【補正対象項目名】００２２
【補正方法】変更
【補正の内容】
【００２２】
以上のように構成されているので、使用者が図３の状態から筒体３７を下方へ押すと、筒体３７に取り付けられた筒体３１はカートリッジ２の外面に当接しつつ開状態となり、本体筒７の外面を、筒体３７の肉厚部３７ｅの下面が尾栓９の段部９ａに当接するまで軸方向に真っ直ぐにスライドする。さらに、筒体３７を持った状態でカートリッジ２を回動させると、カートリッジ２に内蔵された棒状化粧材は繰り出される。使用後は、筒体３７を持ち、カートリッジ２を反対方向に回動させると棒状化粧材は引き込まれる。その後、尾栓９を持ち、筒体３７を上昇限までスライドさせることにより、蓋体３１はバネ３３の力で自然に閉状態となる。なお、図１、図２に示す蓋体３１と筒体３７の取り付け方法は、蓋体３１が常時バネ３３により閉状態となるよう付勢しているが、この取り付け方法はこれに限るものではなく、後述の図５に見られる、蓋体１３１と筒体１３７のヒンジによる取り付け方法でも、又は、蓋体１３１と筒体１３７が一体成形されたものでもよい。
【手続補正５】
【補正対象書類名】明細書
【補正対象項目名】００２７
【補正方法】変更
【補正の内容】
【００２７】
キャップ２０３を容器本体２０４の下方から組み込む際は、ベンド部２０３ｘの係合突起２０３ｚは容器本体２０４の外面に押され、ベンド部２０３ｘが外方向へベンドし、容器本体２０４外面に嵌合される。係合突起２０３ｚと容器本体２０４の溝２０４ｘの位置が合うよう両者を回動させると、ベンド部２０３ｘは内側にスプリングバックし溝２０４ｘにはめ込まれる。
【手続補正６】
【補正対象書類名】明細書
【補正対象項目名】符号の説明
【補正方法】変更
【補正の内容】
【符号の説明】
１ カートリッジ式棒状化粧材繰り出し容器
２ カートリッジ 
３ キャップ
４ 容器本体 
７ 本体筒
９ 尾栓
３１ 蓋体 
３５ ピン
３３ バネ 
３７ 筒体
４１ 先筒 
４３ チャック
４５ バネ 
４７ バネ保持リング
４９ 本体筒 
５１ 押棒
５３ キャップ 
５５ 尾栓
６１ 先筒 
６３ チャック
６５ メネジ部材 
６７ オネジ部材
６９ 本体筒 
７１ キャップ
７３ 尾栓
【手続補正書】
【提出日】平成17年7月25日(2005.7.25)
【手続補正１】
【補正対象書類名】明細書
【補正対象項目名】特許請求の範囲
【補正方法】変更
【補正の内容】
【特許請求の範囲】
【請求項１】
列状に栽植された茶樹畝を跨ぎながら移動している間に茶葉を摘採する刈刃と、上記刈刃が摘採した茶葉を移送するための風を生起する送風機と、上記送風機が生起した風を上記刈刃の前面側に沿って導く送風ダクトと、上記送風ダクト内の風を刈刃の前面側から機体後方に向けて噴出する複数の送風ノズルとを備えた茶葉管理機において、
上記送風ノズルの先端部は、扁平断面形状に形成され、その断面の長手方向が隣接する送風ノズルの配列方向に向かうように設定されていることを特徴とする茶葉管理機。
【請求項２】
請求項１記載の茶葉管理機において、
上記送風ノズルの先端部は、平面視扇状に形成されていることを特徴とする茶葉管理機。
【請求項３】
請求項１または２記載の茶葉管理機において、
上記送風ノズルの先端部は、長手方向中央部の高さが長手方向左右両端部に向かうのに従って徐々に低くなっていくことを特徴とする茶葉管理機。
【手続補正２】
【補正対象書類名】明細書
【補正対象項目名】０００３
【補正方法】変更
【補正の内容】
【０００３】
【発明が解決しようとする課題】
ところで、上述の作業過程にあっては、バリカン刃が摘採した茶葉を、バリカン刃の近傍に設けた送風手段によって生起される風により茶葉収容袋に向け移送する。このため、バリカン刃近傍には、送風機に連通する送風ダクトから突出する送風ノズルが多数並列して設けられており、送風ノズルからの噴出する風により茶葉収容袋に向けて摘採した茶葉が移送される。しかし、上記の送風ノズルは、単なるパイプ状に構成されているだけであるので、隣接する送風ノズルの間は風の影響が及びにくい。このため、摘採した茶葉を落ちこぼすことなく茶葉収容袋内に収容するのは難しく、摘採効率が悪いという問題があった。
【手続補正３】
【補正対象書類名】明細書
【補正対象項目名】０００５
【補正方法】変更
【補正の内容】
【０００５】
【課題を解決するための手段】
請求項１記載の発明は、列状に栽植された茶樹畝を跨ぎながら移動している間に茶葉を摘採する刈刃と、上記刈刃が摘採した茶葉を移送するための風を生起する送風機と、上記送風機が生起した風を上記刈刃の前面側に沿って導く送風ダクトと、上記送風ダクト内の風を刈刃の前面側から機体後方に向けて噴出する複数の送風ノズルとを備えた茶葉管理機において、
上記送風ノズルの先端部は、扁平断面形状に形成され、その断面の長手方向が隣接する送風ノズルの配列方向に向かうように設定されていることを特徴とする。
【手続補正４】
【補正対象書類名】明細書
【補正対象項目名】０００６
【補正方法】変更
【補正の内容】
【０００６】
請求項２記載の発明は、請求項１記載の茶葉管理機において、上記送風ノズルの先端部は、平面視扇状に形成されていることを特徴とする。
【手続補正５】
【補正対象書類名】明細書
【補正対象項目名】０００７
【補正方法】変更
【補正の内容】
【０００７】
請求項３記載の発明は、請求項１または２記載の茶葉管理機において、上記送風ノズルの先端部は、長手方向中央部の高さが長手方向左右両端部に向かうのに従って徐々に低くなっていくことを特徴とする。
【手続補正６】
【補正対象書類名】明細書
【補正対象項目名】００１３
【補正方法】変更
【補正の内容】
【００１３】
図４は、底板１５およびバリカン刃１５ａと送風ダクト１９および送風ノズル１９Ａとの位置関係を示す平面図であり、同図において、送風ノズル１９Ａは、平面視において扇状に形成されている。送風ノズル１９Ａは、その断面形状が、図５に示すように、符号Ｐ１で示す領域が該当する基端部側が円形であるのに対し、符号Ｐ２で示す領域が該当する先端部が扁平断面形状とされ、先端部での断面において長手方向が送風ダクト１９の長手方向に平行し、長手方向中央部の高さが長手方向左右両端部に向かうのに従って徐々に低くなっていくように形成されている。
【手続補正書】
【提出日】平成17年5月31日(2005.5.31)
【手続補正１】
【補正対象書類名】明細書
【補正対象項目名】０００８
【補正方法】変更
【補正の内容】
【０００８】
元畦及び圃場を耕耘して畦状に盛り上げるロータリ耕耘装置からなる前処理体７、及びこの前処理体７の後方に、前処理体７により耕耘された土壌を畦に成形する多角円錐状ドラムからなる整畦体８が、伝動フレーム２にオフセット用平行リンク９を介して支持され、伝動・支持フレーム１０と一体的に連繋された伝動・支持フレーム６により連結支持されている。そして、トラクタから入力軸３に受けた動力は、本体フレーム２からＷジョイント（広角ジョイント）付きのスプライン伝動軸１１−伝動・支持フレーム１０−伝動・支持フレーム６を介して前処理体７及び整畦体８に伝達され、それぞれ所定方向に回転させて作業を行うようにしている。
【手続補正２】
【補正対象書類名】明細書
【補正対象項目名】０００９
【補正方法】変更
【補正の内容】
【０００９】
前処理体７は、その回転軸１２の軸心を機体の進行方向と平行に配設し、この回転軸１２の軸周に複数の耕耘爪１３を取付けて、元畦の一部及び圃場を耕耘して元畦に対して畦状に盛り上げるようにしている。前処理体７により畦状に盛り上げられた土壌は整畦体８が回転しながら畦状に成形する。整畦体８には上下調整装置１５が設けられていて、上下調節が可能である。
【手続補正３】
【補正対象書類名】明細書
【補正対象項目名】００１０
【補正方法】変更
【補正の内容】
【００１０】
前処理体７はカバー１６により覆われており、このカバー１６は左右調整装置１４により左右にスライド可能である。また、前処理体７の外側部はサイドカバー１７により覆われるが、このサイドカバー１７は自動的に上下動するように支持されている。また、サイドカバー１７の下部にはゴム板のような弾性板が取付けられていて、畦土に接したとき弾性変形し、復帰するフレキシブルな構造となっている。
【手続補正４】
【補正対象書類名】明細書
【補正対象項目名】００１１
【補正方法】変更
【補正の内容】
【００１１】
上記整畦体８は、伝動フレーム６ａ終端部から機体側方に向け突出した図示しない回転軸に対して、その基部８ａを図示しないドラムボスを介して複数（図面では４個）の固定ボルト１８により取付けられる。整畦体基部８ａのドラムボスへの取付け面と、ドラムボスの整畦体８を取付けるドラム取付け面とは、回転軸に対して互いに偏心して設けられている。そして、整畦体８の基部をドラムボスに対して周方向に移動させて固定ボルト１８により固定することにより、整畦体８の偏心量（振れ幅）を変更可能としている。
【手続補正５】
【補正対象書類名】明細書
【補正対象項目名】００１７
【補正方法】変更
【補正の内容】
【００１７】
このような構成の畦塗り機１においては、前処理体７及び整畦体８が伝動・支持フレーム６により支持され、トラクタから入力軸３に受けた動力は本体フレーム２からＷジョイント（広角ジョイント）付きのスプライン伝動軸１１−伝動・支持フレーム１０−伝動・支持フレーム６を介して前処理体７及び整畦体８に伝達される。前処理体７では元畦の一部及び圃場を耕耘して元畦に対して畦状に盛り上げ、その耕耘された土壌を多角円錐状ドラム８の多角の稜線と平面部が偏心しながら回転して畦法面を叩いて畦に成形する。
【手続補正６】
【補正対象書類名】明細書
【補正対象項目名】００１８
【補正方法】変更
【補正の内容】
【００１８】
多角円錐状ドラム８では、その基部８ａがドラムボスに対して固定ボルト１８により取付けられているが、整畦体基部８ａのドラムボスへの取付け面をドラムボスのドラム取付け面に対して周方向に移動させて固定ボルト１８により固定することにより、整畦体８の偏心量（振れ幅）を所定範囲で（実施例では３段階に）変更することができる。
【手続補正７】
【補正対象書類名】明細書
【補正対象項目名】００１９
【補正方法】変更
【補正の内容】
【００１９】
そして、前処理体７により、元畦及び圃場が耕耘されて畦状に盛り上げる土壌の土質、水分等により、多角円錐状ドラム８の振れ幅を変更して土質や土壌水分に合った適切な整畦作業が行われる。また、圃場の形状や土壌の状態などに応じて前処理体７及び整畦体８をオフセットさせた方がよい場合には、オフセット量調節用シリンダ機構２２のシリンダ２２ａ、ロッド２２ｂ、ロックピン２２ｃ、ストッパ用ピン２０ｄを操作してオフセット量を調節し、適切な状態で整畦作業を行うことができる。
【手続補正８】
【補正対象書類名】明細書
【補正対象項目名】符号の説明
【補正方法】変更
【補正の内容】
【符号の説明】
１    畦塗り機
２    本体フレーム（伝動フレーム）
３    入力軸
４    トップリンク連結部
５    ロアリンク連結部
６    伝動・支持フレーム  ６ａ  伝動フレーム
７    前処理体
８    整畦体（多角円錐状ドラム）  ８ａ  整畦体の基部  ８ｂ  水平筒状体
９    オフセット用平行リンク
１０  伝動・支持フレーム
１１  Ｗジョイント（広角ジョイント）付きのスプライン伝動軸
１２  回転軸
１３  耕耘爪
１４  左右調整装置
１５  上下調整装置
１６  前処理体のカバー
１７  サイドカバー
１８  固定ボルト
１９  整畦体のカバー
２０  オフセット量調節用シリンダ機構  ２０ａ  シリンダ  ２０ｂ  ロッド
２０ｃ  ロックピン  ２０ｄ  ストッパ用ピン  ２０ｅ  ストッパ用ピン挿通孔
２１  クッション部材
２２  ゲージホイール
２３  上下調節支持部
２４，２６  スタンド
２５  スタンド支持部
２７  前後水平水準器
２８  左右水平水準器
【手続補正９】
【補正対象書類名】図面
【補正対象項目名】図１
【補正方法】変更
【補正の内容】
【図１】
2000041403.tif 000001
【手続補正１０】
【補正対象書類名】図面
【補正対象項目名】図６
【補正方法】変更
【補正の内容】
【図６】
2000041403.tif 000002